(57)【要約】【課題】効率的な検査レポートの作成を支援することのできる検査レポート作成支援システムを提供する。【解決手段】検査部位を撮影して検査画像データを取得する医用画像診断装置２と、医用画像診断装置とネットワークを介して通信可能に接続され、医用画像診断装置から転送される検査画像データを保管する画像サーバ３と、医用画像診断装置及び画像サーバとネットワークを介して通信可能に接続されるクライアント端末４と、を備え、クライアント端末にて行われる検査レポートの作成を支援する検査レポート作成支援システム１であって、医用画像診断装置は、検査を特定するための特定情報とこの検査によって取得された検査画像データとを関連付けて一時的に記憶しておく記憶部１０を有しており、特定情報によって特定された検査の検査画像データの送信要求をクライアント端末から受信した場合において、この検査画像データが記憶部に記憶されている場合に、この検査画像データをクライアント端末に送信する。【選択図】図１
2015192788.tif 000002
【特許請求の範囲】
【請求項１】
検査部位を撮影して検査画像データを取得する医用画像診断装置と、前記医用画像診断装置とネットワークを介して通信可能に接続され、前記医用画像診断装置から転送される前記検査画像データを保管する画像サーバと、前記医用画像診断装置及び前記画像サーバとネットワークを介して通信可能に接続されるクライアント端末と、を備え、前記クライアント端末にて行われる検査レポートの作成を支援する検査レポート作成支援システムであって、
前記医用画像診断装置は、検査を特定するための特定情報と該検査によって取得された検査画像データとを関連付けて一時的に記憶しておく記憶部を有しており、前記特定情報によって特定された検査の検査画像データの送信要求を前記クライアント端末から受信した場合において、該検査画像データが前記記憶部に記憶されている場合に、該検査画像データを前記クライアント端末に送信する検査レポート作成支援システム。
【請求項２】
請求項１記載の検査レポート作成支援システムであって、
前記クライアント端末は、前記特定された検査の検査画像データが前記画像サーバに保管されているか否かを判定し、前記画像サーバに前記特定された検査の検査画像データが保管されていない場合に、前記送信要求を前記医用画像診断装置に送信する検査レポート作成支援システム。
【請求項３】
請求項１記載の検査レポート作成支援システムであって、
前記クライアント端末は、前記特定された検査の検査画像データが前記医用画像診断装置の前記記憶部に記憶されているか否かを問い合わせる問い合わせ要求を前記医用画像診断装置に送信し、前記問い合わせ要求を受信した前記医用画像診断装置の前記記憶部に前記特定された検査の検査画像データが記憶されていることを示す応答信号を前記医用画像診断装置から受信した場合に、前記送信要求を優先的に前記医用画像診断装置に送信する検査レポート作成支援システム。
【請求項４】
請求項１〜３のいずれか１項記載の検査レポート作成支援システムであって、
前記医用画像診断装置は、前記特定された検査の検査画像データを圧縮して前記クライアント端末に送信する検査レポート作成支援システム。
【請求項５】
請求項１〜３のいずれか１項記載の検査レポート作成支援システムであって、
前記医用画像診断装置は、前記特定された検査の検査画像データの縮小データを前記クライアント端末に送信し、前記縮小データに基づき前記クライアント端末にて指定された前記特定された検査の検査画像データの指定部分の送信要求を受信した場合に、該指定部分のデータを前記クライアント端末に送信する検査レポート作成支援システム。
【請求項６】
検査部位を撮影して検査画像データを取得し、且つ取得した前記検査画像データを保管する画像サーバ及び検査レポートの作成が行われるクライアント端末とネットワークを介して通信可能に接続される医用画像診断装置であって、
検査を特定するための特定情報と該検査によって取得された検査画像データとを関連付けて一時的に記憶しておく記憶部を有しており、前記特定情報によって特定された検査の検査画像データの送信要求を前記クライアント端末から受信した場合において、該検査画像データが前記記憶部に記憶されている場合に、該検査画像データを前記クライアント端末に送信する医用画像診断装置。
【請求項７】
請求項６記載の医用画像診断装置であって、
前記特定された検査の検査画像データを圧縮して前記クライアント端末に送信する医用画像診断装置。
【請求項８】
請求項６記載の医用画像診断装置であって、
前記特定された検査の検査画像データの縮小データを前記クライアント端末に送信し、前記縮小データに基づき前記クライアント端末にて指定された前記特定された検査の検査画像データの指定部分の送信要求を受信した場合に、該指定部分のデータを前記クライアント端末に送信する医用画像診断装置。
【請求項９】
医用画像診断装置によって検査部位を撮影して取得され、前記医用画像診断装置とネットワークを介して通信可能に接続される画像サーバに保管される検査画像データを用い、前記医用画像診断装置及び前記画像サーバとネットワークを介して通信可能に接続されるクライアント端末にて行われる検査レポートの作成を支援する検査レポート作成支援方法であって、
前記医用画像診断装置は、検査を特定するための特定情報と該検査によって取得された検査画像データとを関連付けて一時的に記憶しているものであり、
前記特定情報によって特定された検査の検査画像データの送信要求を前記クライアント端末から前記医用画像診断装置に送信するステップと、
前記送信要求を受信した前記医用画像診断装置において前記特定された検査の検査画像データが記憶されている場合に、該検査画像データを前記医用画像診断装置から前記クライアント端末に送信するステップと、
を備える検査レポート作成支援方法。
【請求項１０】
請求項９記載の検査レポート作成支援方法の各ステップをコンピュータに実行させるプログラム。
【発明の詳細な説明】
【技術分野】
【０００１】
本発明は、検査レポート作成支援システム、医用画像診断装置、検査レポート作成支援方法、及びプログラムに関する。
【背景技術】
【０００２】
内視鏡画像診断装置や超音波画像診断装置や放射線画像診断装置といった医用画像診断装置によって検査部位を撮影して取得される検査画像データは、典型的には、医用画像診断装置とネットワークを介して通信可能に接続される画像サーバに保管される。そして、検査レポートの作成は、画像サーバにネットワークを介して通信可能に接続されるクライアント端末にて行われ、クライアント端末からの要求に応じて、画像サーバに保管された検査画像データが画像サーバからクライアント端末に送信される（例えば、特許文献１参照）。
【０００３】
また、特許文献２に記載されたシステムは、医用画像診断装置と検査レポートの作成が行われるクライアント端末とがネットワークを介して通信可能に接続され、医用画像診断装置によって取得された検査画像データがクライアント端末に一時的に記憶され、検査レポートの作成等が済んだ後にクライアント端末から画像サーバに送信され、そして画像サーバに保管されるように構成されている。
【先行技術文献】
【特許文献】
【０００４】
【特許文献１】特開２００５−７１４５号公報
【特許文献２】特開２００８−６１６９号公報
【発明の概要】
【発明が解決しようとする課題】
【０００５】
特許文献１に記載されたシステムでは、例えば検査実施後の早い段階で検査レポートの作成が行われる場合などであって医用画像診断装置から画像サーバへの検査画像データの転送が完了していない場合には、転送完了を待つ必要がある。そして、別施設にある機器を接続するネットワークは、典型的には同一施設にある機器を接続するネットワークに比べて低速であるところ、システムの規模が大きい場合などであって医用画像診断装置及び検査レポートの作成が行われるクライアント端末と画像サーバとが別施設に設置される場合があり、この場合に、医用画像診断装置から画像サーバへの検査画像データの転送完了には相応の時間を要する。そのため、検査レポートの作成効率が低下する虞がある。
【０００６】
特許文献２に記載されたシステムでは、例えばシステムの規模が大きい場合などであって多数の医用画像診断装置がある場合に、クライアント端末は、これらの医用画像診断装置によって取得される多数の検査画像データを記憶するに足る多量の記憶領域を備えておく必要がある。したがって、特許文献２に記載されたシステムは、比較的小規模なシステムに限られる。
【０００７】
本発明は、上述した事情に鑑みなされたものであり、効率的な検査レポートの作成を支援することのできる検査レポート作成支援システム、医用画像診断装置、検査レポート作成支援方法、及びプログラムを提供することを目的とする。
【課題を解決するための手段】
【０００８】
（１）  検査部位を撮影して検査画像データを取得する医用画像診断装置と、上記医用画像診断装置とネットワークを介して通信可能に接続され、上記医用画像診断装置から転送される上記検査画像データを保管する画像サーバと、上記医用画像診断装置及び上記画像サーバとネットワークを介して通信可能に接続されるクライアント端末と、を備え、上記クライアント端末にて行われる検査レポートの作成を支援する検査レポート作成支援システムであって、上記医用画像診断装置は、検査を特定するための特定情報とこの検査によって取得された検査画像データとを関連付けて一時的に記憶しておく記憶部を有しており、上記特定情報によって特定された検査の検査画像データの送信要求を上記クライアント端末から受信した場合において、この検査画像データが上記記憶部に記憶されている場合に、この検査画像データを上記クライアント端末に送信する検査レポート作成支援システム。
（２）  検査部位を撮影して検査画像データを取得し、且つ取得した上記検査画像データを保管する画像サーバ及び検査レポートの作成が行われるクライアント端末とネットワークを介して通信可能に接続される医用画像診断装置であって、検査を特定するための特定情報とこの検査によって取得された検査画像データとを関連付けて一時的に記憶しておく記憶部を有しており、上記特定情報によって特定された検査の検査画像データの送信要求を上記クライアント端末から受信した場合において、この検査画像データが上記記憶部に記憶されている場合に、この検査画像データを上記クライアント端末に送信する医用画像診断装置。
（３）  医用画像診断装置によって検査部位を撮影して取得され、上記医用画像診断装置とネットワークを介して通信可能に接続される画像サーバに保管される検査画像データを用い、上記医用画像診断装置及び上記画像サーバとネットワークを介して通信可能に接続されるクライアント端末にて行われる検査レポートの作成を支援する検査レポート作成支援方法であって、上記医用画像診断装置は、検査を特定するための特定情報とこの検査によって取得された検査画像データとを関連付けて一時的に記憶しているものであり、上記特定情報によって特定された検査の検査画像データの送信要求を上記クライアント端末から上記医用画像診断装置に送信するステップと、上記送信要求を受信した上記医用画像診断装置において上記特定された検査の検査画像データが記憶されている場合に、この検査画像データを上記医用画像診断装置から上記クライアント端末に送信するステップと、を備える検査レポート作成支援方法。
（４）  上記（３）の検査レポート作成支援方法の各ステップをコンピュータに実行させるプログラム。
【発明の効果】
【０００９】
本発明によれば、検査レポートの作成を支援し、検査レポートの作成効率を高めることができる。
【図面の簡単な説明】
【００１０】
【図１】本発明の実施形態を説明するための、検査レポート作成支援システムの一例の構成を示す図である。
【図２】図１の検査レポート作成支援システムにおける医用画像診断装置と画像サーバとクライアント端末との間の情報の授受の一例を示す図である。
【図３】図１の検査レポート作成支援システムにおいて医用画像診断装置からクライアント端末に検査画像データが送信される際の医用画像診断装置とクライアント端末との間の情報の授受の一例を示す図である。
【図４】図１の検査レポート作成支援システムの処理フローの一例を示す図である。
【図５】図１の検査レポート作成支援システムの処理フローの他の例を示す図である。
【図６】図１の検査レポート作成支援システムにおいて医用画像診断装置からクライアント端末に検査画像データが送信される際の医用画像診断装置とクライアント端末との間の情報の授受の他の例を示す図である。
【発明を実施するための形態】
【００１１】
以下、本発明の好適な実施形態について、図面を参照して説明する。
【００１２】
図１は、本発明の実施形態を説明するための、検査レポート作成支援システムの一例の構成を模式的に示す検査装置の一例の構成を示す。
【００１３】
図１に示す検査レポート作成支援システム１は、医用画像診断装置２と、画像サーバ３と、クライアント端末４とを備えており、医用画像診断装置２と、画像サーバ３と、クライアント端末４とはネットワークを介して互いに通信可能に接続されている。
【００１４】
医用画像診断装置２は、患者の検査部位を撮影して検査画像データを取得するものであり、例えば内視鏡診断装置や超音波画像診断装置や放射線画像診断装置などである。検査画像データは、一つ又は複数の静止画や動画を含んで構成される。医用画像診断装置２は、取得した検査画像データを一時的に記憶しておく記憶部１０をそれぞれ有している。
【００１５】
画像サーバ３は、医用画像診断装置２によって取得され、医用画像診断装置２から転送される検査画像データを保管するものである。また、クライアント端末４は、検査画像データを用いた検査レポートの作成が行われるものである。
【００１６】
医用画像診断装置２及びクライアント端末４は病院内（同一施設）に置かれ、ＬＡＮ（Local Area Network）といった比較的高速なネットワークＮ１で接続されている。一方、検査画像データを保管する画像サーバ３は、保管するデータ量が多いため、例えばデータセンタなどの医用画像診断装置２及びクライアント端末４が置かれる施設とは別の施設に置かれ、医用画像診断装置２及びクライアント端末４と画像サーバ３とはＷＡＮ（Wide Area Network）といった相対的に低速なネットワークＮ２で接続されている。
【００１７】
図２は、医用画像診断装置２と画像サーバ３とクライアント端末４との間の情報の授受を示す。
【００１８】
医用画像診断装置２と画像サーバ３とクライアント端末４との間では、検査を特定するための特定情報が共通して用いられる。特定情報は、例えば検査毎の識別子や、患者毎の識別子及び検査日時並びに検査種別（内視鏡、超音波、放射線等）などを含み、一般的には、検査オーダリングシステム等を包含する病院情報システム（ＨＩＳ：Hospital Information System）によって検査予約として発行される。医用画像診断装置２は、実施された検査について、その検査で取得した検査画像データを、その検査の特定情報と関連付けて記憶部１０に一時的に記憶する。
【００１９】
そして、医用画像診断装置２は、適宜なタイミングで記憶部１０に記憶してある実施済み検査の特定情報及び検査画像データを画像サーバ３に転送する。医用画像診断装置２から画像サーバ３への特定情報及び検査画像データの送信タイミングとしては、通常であれば検査オーダがない夜間の時間帯などを例示することができる。記憶部１０に記憶されている特定情報及び検査画像データは、画像サーバ３への転送が完了した後、適宜なタイミングで記憶部１０から消去される。
【００２０】
また、医用画像診断装置２は、クライアント端末４からの検査画像データの送信要求を受け付け可能に構成されており、要求された検査画像データが記憶部１０に記憶されている場合に、その検査画像データをクライアント端末４に送信する。
【００２１】
画像サーバ３もまた、クライアント端末４からの検査画像データの送信要求を受け付け可能に構成されており、要求された検査画像データを保管している場合に、その検査画像データをクライアント端末４に送信する。
【００２２】
クライアント端末４は、検査レポートが作成される検査の特定情報を用い、その特定情報によって特定された検査の検査画像データを医用画像診断装置２及び画像サーバ３のいずれかから受信する。
【００２３】
図３は、医用画像診断装置２からクライアント端末４に検査画像データが送信される際の医用画像診断装置２とクライアント端末４との間の情報の授受の一例を示す。
【００２４】
まず、クライアント端末４は医用画像診断装置２に対して問い合わせ要求を送信し、検査レポートが作成される検査の検査画像データがその医用画像診断装置２の記憶部１０に記憶されているか否かを問い合わせる。本例では、問い合わせ要求は、記憶部１０に記憶されている特定情報の一覧の要求である。医用画像診断装置２は、クライアント端末４からの問い合わせ要求に対する応答信号として、記憶部１０に記憶されている特定情報の一覧、及び特定情報毎にその特定情報によって特定される検査が実施済みであるか否か、つまりは検査画像データが関連付けられて記憶部１０に記憶されているか否かをクライアント端末４に送信する。
【００２５】
クライアント端末４は、各医用画像診断装置２から受信した応答信号に基づき、検査レポートが作成される検査を実施し、又は実施した医用画像診断装置２を特定し、その検査が実施済みである場合（検査画像データが関連付けられて記憶部１０に記憶されている場合）には、その検査を実施した医用画像診断装置２に対して、その検査の検査画像データの送信要求として、その検査の特定情報を送信する。クライアント端末４からの送信要求を受信した医用画像診断装置２は、送信要求に含まれる特定情報に関連付けられて記憶部１０に記憶されている検査画像データをクライアント端末４に送信する。
【００２６】
なお、医用画像診断装置２が複数ある場合において、クライアント端末４から全ての医用画像診断装置２に対して問い合わせ要求を送信してもよいが、検査レポートが作成される検査を実施し、又は実施した医用画像診断装置２が判っている場合などには、その検査を実施し、又は実施した特定の医用画像診断装置２に対してのみ問い合わせ要求を送信するようにしてもよい。
【００２７】
また、上記問い合わせ要求として、検査レポートが作成される検査の特定情報をクライアント端末４から医用画像診断装置２に送信し、各医用画像診断装置２にて受信した特定情報の検索を実行し、そして、上記応答信号として、その特定情報が記憶部１０に記憶されているか否か、及びその特定情報に関連付けられて検査画像データが記憶部１０に記憶されているか否かを各医用画像診断装置２からクライアント端末４に送信するようにしてもよい。
【００２８】
画像サーバ３からクライアント端末４に検査画像データが送信される際の画像サーバ３とクライアント端末４との間の情報の授受もまた特定情報を用いて行われる。
【００２９】
まず、クライアント端末４は、検査レポートが作成される検査の特定情報を画像サーバ３に送信し、その検査の検査画像データが画像サーバ３に保管されているか否かを問い合わせる。画像サーバ３は、クライアント端末４からの問い合わせ要求に対する応答信号として、受信した特定情報及びその特定情報に関連付けられた検査画像データが保管されているか否かをクライアント端末４に送信する。
【００３０】
クライアント端末４は、画像サーバ３から受信した応答信号に基づき、検査レポートが作成される検査の検査画像データが画像サーバ３に保管されている場合に、検査画像データの送信要求として、その検査の特定情報を画像サーバ３に送信する。画像サーバ３は、送信要求に含まれる特定情報に関連付けられて保管されている検査画像データをクライアント端末４に送信する。
【００３１】
図４は、検査レポート作成支援システム１の処理フローの一例を示す。
【００３２】
図４に示す例では、検査レポートが作成される検査の検査画像データの医用画像診断装置２から画像サーバ３への転送が完了しておらず、その検査の検査画像データが医用画像診断装置２にのみ保管されているものとする。
【００３３】
まず、検査レポートが作成される検査の検査画像データが画像サーバ３に保管されているか否かを問い合わせる問い合わせ要求がクライアント端末４から画像サーバ３に送信され、クライアント端末４からの問い合わせ要求に応じて、その検査の検査画像データが画像サーバ３に保管されているか否かを示す応答信号が画像サーバ３からクライアント端末４に送信される。クライアント端末４は、受信した応答信号に基づいて、その検査の検査画像データが画像サーバ３に保管されているか否かを判定する。
【００３４】
本例では、検査レポートが作成される検査の検査画像データが画像サーバ３に保管されていないことを示す応答信号が画像サーバ３からクライアント端末４に送信され、クライアント端末４では、その検査の検査画像データが画像サーバ３には保管されていないと判定される。
【００３５】
次いで、検査レポートが作成される検査の検査画像データが医用画像診断装置２に記憶されているか否かを問い合わせる問い合わせ要求がクライアント端末４から医用画像診断装置２に送信され、クライアント端末４からの問い合わせ要求に応じて、その検査の検査画像データが医用画像診断装置２に保管されているか否かを示す応答信号が医用画像診断装置２からクライアント端末４に送信される。
【００３６】
本例では、検査レポートが作成される検査の検査画像データは医用画像診断装置２に記憶されていることから、その検査の検査画像データが医用画像診断装置２に保管されていることを示す応答信号が医用画像診断装置２からクライアント端末４に送信される。
【００３７】
そして、検査レポートが作成される検査の検査画像データの送信要求がクライアント端末４から医用画像診断装置２に送信され、送信要求に応じて、その検査の検査画像データが医用画像診断装置２からクライアント端末４に送信される。
【００３８】
このように、検査レポート作成支援システム１では、クライアント端末４での検査レポートの作成に際して、検査レポートが作成される検査の検査画像データが医用画像診断装置２から画像サーバ３に転送されていない場合に、その検査の検査画像データが記憶されている医用画像診断装置２からクライアント端末４に検査画像データが直接送信される。それにより、検査画像データの医用画像診断装置２から画像サーバ３への転送完了を待たずに検査レポートの作成を行うことが可能となり、検査レポートの作成効率を高めることができる。
【００３９】
医用画像診断装置２とクライアント端末４とを接続しているネットワークＮ１に対して医用画像診断装置２及びクライアント端末４と画像サーバ３とを接続しているネットワークＮ２が相対的に低速であって、医用画像診断装置２から画像サーバ３への検査画像データの転送完了に相応の時間を要するような場合に、検査レポート作成支援システム１は特に有用である。
【００４０】
なお、医用画像診断装置２からクライアント端末４への検査画像データの送信において、検査画像データを圧縮して送信するようにしてもよい。それによれば、医用画像診断装置２からクライアント端末４への検査画像データの送信に要する時間を短縮でき、検査レポートの作成効率をさらに高めることができる。
【００４１】
図５は、検査レポート作成支援システム１の処理フローの他の例を示す。
【００４２】
図５に示す例では、検査レポートが作成される検査の検査画像データが、医用画像診断装置２から画像サーバ３に転送されており、さらに医用画像診断装置２にも残っているものとする。
【００４３】
まず、検査レポートが作成される検査の検査画像データの有無を問い合わせる問い合わせ要求がクライアント端末４から医用画像診断装置２及び画像サーバ３に送信され、クライアント端末４からの問い合わせ要求に応じて、その検査の検査画像データの有無を示す応答信号が医用画像診断装置２及び画像サーバ３からクライアント端末４にそれぞれ送信される。
【００４４】
本例では、検査レポートが作成される検査の検査画像データが医用画像診断装置２及び画像サーバ３の双方に記憶されており、その検査の検査画像データが記憶されていることを示す応答信号が医用画像診断装置２及び画像サーバ３からクライアント端末４にそれぞれ送信される。
【００４５】
クライアント端末４は、検査レポートが作成される検査の検査画像データが記憶されていることを示す応答信号を医用画像診断装置２及び画像サーバ３の双方から受信した場合に医用画像診断装置２を優先するよう構成されており、その検査の検査画像データの送信要求がクライアント端末４から医用画像診断装置２に送信され、クライアント端末４からの送信要求に応じて、その検査の検査画像データが医用画像診断装置２からクライアント端末４に送信される。
【００４６】
医用画像診断装置２及びクライアント端末４と画像サーバ３とを接続しているネットワークＮ２に対して医用画像診断装置２とクライアント端末４とを接続しているネットワークＮ１が相対的に高速である場合に、以上の構成によって、クライアント端末４への検査画像データの送信に要する時間を短縮でき、検査レポートの作成効率を高めることができる。
【００４７】
図６は、医用画像診断装置２からクライアント端末４に検査画像データが送信される際の医用画像診断装置２とクライアント端末４との間の情報の授受の他の例を示す。
【００４８】
図６に示す例では、検査レポートが作成される検査の検査画像データが動画であるものとする。検査画像データが動画である場合に、検査レポートの作成に用いられる画像は、典型的には、その動画の一部である。本例は、医用画像診断装置２からクライアント端末４に送信される検査画像データ（オリジナルデータ）を、検査レポートの作成に用いられる一部分のデータのみとすることによって、送信に要する時間の短縮と、ネットワーク負荷の軽減を図ったものである。
【００４９】
まず、検査レポートが作成される検査の検査画像データの有無を問い合わせる問い合わせ要求がクライアント端末４から医用画像診断装置２に送信され、クライアント端末４からの問い合わせ要求に応じて、その検査の検査画像データの有無を示す応答信号が医用画像診断装置２からクライアント端末４に送信される。そして、その検査の検査画像データがあることを示す応答信号であった場合に、その検査の検査画像データの送信要求がクライアント端末４から医用画像診断装置２に送信される。
【００５０】
次いで、検査レポートが作成される検査の検査画像データの送信要求に応じて、その検査画像データの縮小データが医用画像診断装置２からクライアント端末４に送信され、クライアント端末４では、縮小データに基づき、ユーザによって検査画像データの一部分が指定される。
【００５１】
そして、ユーザによって指定された検査画像データの指定部分の送信要求がクライアント端末４から医用画像診断装置２に送信され、送信要求に応じて、指定部分のデータが医用画像診断装置２からクライアント端末４に送信される。
【００５２】
本例によれば、医用画像診断装置２からクライアント端末４に送信される検査画像データ（オリジナルデータ）を、検査レポートの作成に用いられる一部分のデータのみとすることによって、送信に要する時間を短縮することができ、さらにネットワーク負荷を軽減することができる。
【００５３】
なお、本例では検査レポートが作成される検査の検査画像データが動画であるものとして説明したが、検査画像データが例えば複数の静止画を含んで構成される場合などにも有用であり、検査画像データに含まれる複数の静止画のサムネイル画像の群（縮小データ）を医用画像診断装置２からクライアント端末４に送信し、サムネイル画像の群に基づきユーザによって指定された一部の静止画のデータ（オリジナルデータ）のみを医用画像診断装置２からクライアント端末４に送信するようにしてもよい。
【００５４】
以上説明した検査レポート作成支援システム１が行う検査レポート作成支援方法を、プログラムとして提供することもできる。このようなプログラムは、プログラムをコンピュータが読取可能な一時的でない（ｎｏｎ−ｔｒａｎｓｉｔｏｒｙ）記録媒体に記録される。このような「コンピュータ読取可能な記録媒体」は、例えば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。そして、上記プログラムは、例えばクライアント端末４にインストールされて利用され、検査レポートが作成される際の検査画像データを取得する機能を提供する。
【００５５】
以上、説明したとおり、本明細書には下記事項が開示されている。
【００５６】
（１）  検査部位を撮影して検査画像データを取得する医用画像診断装置と、上記医用画像診断装置とネットワークを介して通信可能に接続され、上記医用画像診断装置から転送される上記検査画像データを保管する画像サーバと、上記医用画像診断装置及び上記画像サーバとネットワークを介して通信可能に接続されるクライアント端末と、を備え、上記クライアント端末にて行われる検査レポートの作成を支援する検査レポート作成支援システムであって、上記医用画像診断装置は、検査を特定するための特定情報とこの検査によって取得された検査画像データとを関連付けて一時的に記憶しておく記憶部を有しており、上記特定情報によって特定された検査の検査画像データの送信要求を上記クライアント端末から受信した場合において、この検査画像データが上記記憶部に記憶されている場合に、この検査画像データを上記クライアント端末に送信する検査レポート作成支援システム。
（２）  上記（１）の検査レポート作成支援システムであって、上記クライアント端末は、上記特定された検査の検査画像データが上記画像サーバに保管されているか否かを判定し、上記画像サーバに上記特定された検査の検査画像データが保管されていない場合に、上記送信要求を上記医用画像診断装置に送信する検査レポート作成支援システム。
（３）  上記（１）の検査レポート作成支援システムであって、上記クライアント端末は、上記特定された検査の検査画像データが上記医用画像診断装置の上記記憶部に記憶されているか否かを問い合わせる問い合わせ要求を上記医用画像診断装置に送信し、上記問い合わせ要求を受信した上記医用画像診断装置の上記記憶部に上記特定された検査の検査画像データが記憶されていることを示す応答信号を上記医用画像診断装置から受信した場合に、上記送信要求を優先的に上記医用画像診断装置に送信する検査レポート作成支援システム。
（４）  上記（１）〜（３）のいずれか１つの検査レポート作成支援システムであって、上記医用画像診断装置は、上記特定された検査の検査画像データを圧縮して上記クライアント端末に送信する検査レポート作成支援システム。
（５）  上記（１）〜（３）のいずれか１つの検査レポート作成支援システムであって、上記医用画像診断装置は、上記特定された検査の検査画像データの縮小データを上記クライアント端末に送信し、上記縮小データに基づき上記クライアント端末にて指定された上記特定された検査の検査画像データの指定部分の送信要求を受信した場合に、この指定部分のデータを上記クライアント端末に送信する検査レポート作成支援システム。
（６）  検査部位を撮影して検査画像データを取得し、且つ取得した上記検査画像データを保管する画像サーバ及び検査レポートの作成が行われるクライアント端末とネットワークを介して通信可能に接続される医用画像診断装置であって、検査を特定するための特定情報とこの検査によって取得された検査画像データとを関連付けて一時的に記憶しておく記憶部を有しており、上記特定情報によって特定された検査の検査画像データの送信要求を上記クライアント端末から受信した場合において、この検査画像データが上記記憶部に記憶されている場合に、この検査画像データを上記クライアント端末に送信する医用画像診断装置。
（７）  上記（６）の医用画像診断装置であって、上記特定された検査の検査画像データを圧縮して上記クライアント端末に送信する医用画像診断装置。
（８）  上記（６）の医用画像診断装置であって、上記特定された検査の検査画像データの縮小データを上記クライアント端末に送信し、上記縮小データに基づき上記クライアント端末にて指定された上記特定された検査の検査画像データの指定部分の送信要求を受信した場合に、この指定部分のデータを上記クライアント端末に送信する医用画像診断装置。
（９）  医用画像診断装置によって検査部位を撮影して取得され、上記医用画像診断装置とネットワークを介して通信可能に接続される画像サーバに保管される検査画像データを用い、上記医用画像診断装置及び上記画像サーバとネットワークを介して通信可能に接続されるクライアント端末にて行われる検査レポートの作成を支援する検査レポート作成支援方法であって、上記医用画像診断装置は、検査を特定するための特定情報とこの検査によって取得された検査画像データとを関連付けて一時的に記憶しているものであり、上記特定情報によって特定された検査の検査画像データの送信要求を上記クライアント端末から上記医用画像診断装置に送信するステップと、上記送信要求を受信した上記医用画像診断装置において上記特定された検査の検査画像データが記憶されている場合に、この検査画像データを上記医用画像診断装置から上記クライアント端末に送信するステップと、を備える検査レポート作成支援方法。
（１０）  上記（９）の検査レポート作成支援方法の各ステップをコンピュータに実行させるプログラム。
【符号の説明】
【００５７】
１     検査レポート作成支援システム
２     医用画像診断装置
３     画像サーバ
４     クライアント端末
１０   記憶部
Ｎ１，Ｎ２    ネットワーク
【図１】
2015192788.tif 000003
【図２】
2015192788.tif 000004
【図３】
2015192788.tif 000005
【図４】
2015192788.tif 000006
【図５】
2015192788.tif 000007
【図６】
2015192788.tif 000008